(57)【要約】【課題】  製品コストを低減でき、不用意に操作されるおそれも無く、切り替えたセキュリティ解除スイッチを元の位置に戻し忘れることの無い機器のセキュリティ機構を提供する。【解決手段】  電子式電力量計１１のセキュリティ機構では、電子式電力量計１１と別体に構成されるセキュリティ解除用治具１８ａまたは１８ｂまたは１８ｃの一対のコンタクト２６，２６または単一のラバーコンタクト２７を複数のパッド１４ａ，１４ｂまたは１５ａ，１５ｂに電気的に接触して複数のパッド１４ａ，１４ｂまたは１５ａ，１５ｂ間の電位差に変化を与えることで、セキュリティ設定回路により設定されている電子式電力量計１１に対する所定の操作の禁止が解除される。このため、セキュリティ解除用治具１８ａ，１８ｂおよび１８ｃは各電子式電力量計１１毎に用意する必要は無く、共通に用いて、セキュリティ設定回路によるセキュリティを解除することができる。【選択図】  図３
2015059757.tif 000002
【特許請求の範囲】
【請求項１】
機器に内蔵された回路基板上に形成された複数のパッドと、
複数の前記パッド間の電位差に変化が検出されると前記機器に対する所定の操作の禁止を解除する、前記機器に内蔵された回路基板に電子回路によって形成されたセキュリティ設定回路と、
複数の前記パッドに電気的に接触して複数の前記パッド間の電位差に変化を与える、前記機器と別体に構成されるセキュリティ解除用治具と
から構成される機器のセキュリティ機構。
【請求項２】
前記機器は、複数の前記パッドを臨ませるパッド露出用開口部が複数の前記パッドに対向する位置に形成された壁を備え、
前記セキュリティ解除用治具は、前記パッド露出用開口部に挿入されて複数の前記パッドに電気的に接触することで複数の前記パッド間の電位差に変化を与える接触子を備える
ことを特徴とする請求項１に記載の機器のセキュリティ機構。
【請求項３】
複数の前記パッドは離間して前記回路基板上に形成され、
前記パッド露出用開口部は、複数の前記パッドに対向する位置に複数形成され、そのうちの少なくとも１つは、大開口部および小開口部が連なって開口して形成され、
前記接触子は、前記セキュリティ解除用治具に複数備えられ、複数の各前記パッド露出用開口部に挿入されて前記セキュリティ解除用治具が回動され、複数の各前記パッドに電気的に接触することで、複数の前記パッド間の電位差に変化を与え、
前記セキュリティ解除用治具は、
前記大開口部に挿入されて前記セキュリティ解除用治具が回動されると前記小開口部に嵌合する突起と、
複数の各前記接触子を複数の各前記パッドに押し付ける弾性体とを備える
ことを特徴とする請求項２に記載の機器のセキュリティ機構。
【請求項４】
複数の前記パッドは近接して前記回路基板上に形成され、
前記壁には、大開口部および小開口部が連なって開口した治具係止用開口部が形成され、
前記接触子は、前記セキュリティ解除用治具に単体で設けられ、単一の前記パッド露出用開口部に挿入されて複数の各前記パッドに同時に電気的に接触することで、複数の前記パッド間の電位差に変化を与え、
前記セキュリティ解除用治具は、
前記大開口部に挿入されて前記セキュリティ解除用治具が回動されると前記小開口部に嵌合する突起と、
前記接触子を複数の前記パッドに押し付ける弾性体とを備える
ことを特徴とする請求項２に記載の機器のセキュリティ機構。
【請求項５】
前記セキュリティ解除用治具は、一対の前記接触子からなる接触子対だけ、または、単体の前記接触子からなる単一接触子だけ、または、前記接触子対および前記単一接触子を備え、
複数の前記パッドは、離間して前記回路基板上に形成された第１パッド対と、近接して前記回路基板上に形成された第２パッド対とから構成され、
前記パッド露出用開口部は、前記接触子対を構成する各前記接触子が挿入される一対のパッド露出用第１開口部と、前記単一接触子が挿入される単一のパッド露出用第２開口部とから構成され、少なくとも１つの前記パッド露出用第１開口部は、大開口部および小開口部が連なって開口して形成され、
前記接触子対を構成する各前記接触子は、各前記パッド露出用第１開口部に挿入されて前記セキュリティ解除用治具が回動され、前記第１パッド対を構成する各前記パッドに電気的に接触することで、前記第１パッド対を構成する各パッド間の電位差に変化を与え、
前記単一接触子は、前記パッド露出用第２開口部に挿入されて前記第２パッド対を構成する各前記パッドに同時に電気的に接触することで、前記第２パッド対を構成する各前記パッド間の電位差に変化を与え、
前記セキュリティ解除用治具は、
前記大開口部に挿入されて前記セキュリティ解除用治具が回動されると前記小開口部に嵌合する突起と、
前記接触子対を構成する各前記接触子を前記第１パッド対を構成する各前記パッドに押し付ける、または前記単一接触子を前記第２パッド対を構成する各前記パッドに押し付ける弾性体とを備える
ことを特徴とする請求項２に記載の機器のセキュリティ機構。
【請求項６】
前記セキュリティ解除用治具は、複数の前記接触子間に光源を備えることを特徴とする請求項３または請求項５に記載の機器のセキュリティ機構。
【発明の詳細な説明】
【技術分野】
【０００１】
本発明は、禁止された機器に対する所定の操作を解除する機構に特徴を有する機器のセキュリティ機構に関するものである。
【背景技術】
【０００２】
特許文献１に開示された従来の電子式電力量計においては、外部カバーのパルス設定スイッチに対向する位置に、外部からパルス設定スイッチを操作可能な貫通孔が設けられている。このため、ユーザーは、検定封印後に、電力使用量に応じたパルス列の重み付けを自由に設定操作できる。
【０００３】
従来、このような電子式電力量計のセキュリティを高めるため、図１に示すように、電子式電力量計１に内蔵される回路基板７にＤＩＰスイッチ２を設け、このＤＩＰスイッチ２をピンセット等で切り替えなければ、検定封印後にパルス設定スイッチ等を操作できないように構成し、電子式電力量計１にハードウエア上でもセキュリティ機能を持たせている。
【０００４】
同図（ａ）は、銘板３の上方に銘板カバー４が取り付けられた状態の電子式電力量計１の一部平面図である。銘板カバー４は封印カバーを兼用しており、その右端に突出して形成された係止部４ａが封印ネジ５によって電力量計カバー１ａに係止されて、封印される構造になっている。電力量計カバー１ａは、図の左方に示される封印ネジ６によって電力量計カバー１ａの下方に設けられた図示しない電力量計ベースに係止されて、封印されている。
【０００５】
同図（ｂ）は、封印ネジ５による封印を解いて、銘板３および銘板カバー４を取り外した状態の電子式電力量計１の一部平面図である。銘板３および銘板カバー４を取り外すと、回路基板７が露出し、ＤＩＰスイッチ２が現れる。ＤＩＰスイッチ２の左方の回路基板７には、電子式電力量計１によって計量された電力量を表示する液晶表示ユニット８が設けられている。ＤＩＰスイッチ２が切り替えられると、回路基板７に電子回路によって形成された図示しないセキュリティ設定回路がこれを検知し、パルス列の重み付けを変更する設定操作等の禁止を解除する。
【先行技術文献】
【特許文献】
【０００６】
【特許文献１】特開２００１−１８３４０１号公報
【発明の概要】
【発明が解決しようとする課題】
【０００７】
上記従来の電子式電力量計１のセキュリティ機構は、電子式電力量計１の調整や設定等の所定の操作を行う時には、上記のように、銘板カバー４内のＤＩＰスイッチ２を切り替えてセキュリティ設定回路によるセキュリティを解除する必要がある。このため、従来の電子式電力量計１のセキュリティ機構は、回路基板７上に実装されたＤＩＰスイッチ２を直接、もしくは筐体に配備された図示しないノブ等を介して操作してセキュリティを解除する構成であるため、調整や設定等の所定の操作を行う頻度は極少ないのにも関わらず、ＤＩＰスイッチ２を回路基板７に実装する必要がある。このため、従来の電子式電力量計１のセキュリティ機構は、その分、電子式電力量計１の製品コストの上昇に繋がっていた。また、銘板カバー４を開けた時にＤＩＰスイッチ２が実際に目視できることにより、不用意にＤＩＰスイッチ２が操作されるおそれがある。さらに、電子式電力量計１の調整や設定等の所定の操作を終えた後、切り替えたＤＩＰスイッチ２を元の位置に戻し忘れる可能性がある。
【課題を解決するための手段】
【０００８】
本発明はこのような課題を解決するためになされたもので、
機器に内蔵された回路基板上に形成された複数のパッドと、
複数のパッド間の電位差に変化が検出されると機器に対する所定の操作の禁止を解除する、機器に内蔵された回路基板に電子回路によって形成されたセキュリティ設定回路と、
複数のパッドに電気的に接触して複数のパッド間の電位差に変化を与える、機器と別体に構成されるセキュリティ解除用治具と
から機器のセキュリティ機構を構成した。
【０００９】
本構成によれば、機器と別体に構成されるセキュリティ解除用治具を複数のパッドに電気的に接触して複数のパッド間の電位差に変化を与えることで、セキュリティ設定回路により設定されていた機器に対する所定の操作の禁止が解除される。このため、セキュリティ解除用治具は各機器毎に用意する必要は無く、各機器に共通に用いて、セキュリティ設定回路によるセキュリティを解除することができる。よって、従来の機器のセキュリティ機構のように、各機器毎にセキュリティ解除スイッチを設ける必要がなくなり、機器の製品コストを低減することができる。また、機器のカバー等を開けても、セキュリティ解除スイッチが現れず、回路基板に形成された複数のパッドが現れるだけなので、従来のように、セキュリティ解除スイッチが目視されることで不用意に操作されるおそれも無くなる。また、セキュリティ解除用治具は、機器のセキュリティを解除する際にだけ用いられので、従来のように、機器の調整や設定等の所定の操作を終えた後、切り替えたセキュリティ解除スイッチを元の位置に戻し忘れるといったことは無くなる。
【００１０】
また、本発明は、
機器が、複数のパッドを臨ませるパッド露出用開口部が複数のパッドに対向する位置に形成された壁を備え、
セキュリティ解除用治具が、パッド露出用開口部に挿入されて複数のパッドに電気的に接触することで複数のパッド間の電位差に変化を与える接触子を備える
ことを特徴とする。
【００１１】
本構成によれば、セキュリティ解除用治具の接触子を、機器の壁に形成されたパッド露出用開口部に挿入し、複数のパッドに電気的に接触させることで、複数のパッド間の電位差に変化が与えられて、セキュリティ設定回路によるセキュリティが解除される。
【００１２】
また、本発明は、
複数のパッドが離間して回路基板上に形成され、
パッド露出用開口部が、複数のパッドに対向する位置に複数形成され、そのうちの少なくとも１つが、大開口部および小開口部が連なって開口して形成され、
接触子が、セキュリティ解除用治具に複数備えられ、複数の各パッド露出用開口部に挿入されてセキュリティ解除用治具が回動され、複数の各パッドに電気的に接触することで、複数のパッド間の電位差に変化を与え、
セキュリティ解除用治具が、
大開口部に挿入されてセキュリティ解除用治具が回動されると小開口部に嵌合する突起と、
複数の各接触子を複数の各パッドに押し付ける弾性体とを備える
ことを特徴とする。
【００１３】
本構成によれば、セキュリティ解除用治具に備えられた複数の各接触子を、機器の壁に形成された複数の各パッド露出用開口部に挿入し、複数の各パッドに電気的に接触させることで、複数のパッド間の電位差に変化が与えられて、セキュリティ設定回路によるセキュリティが解除される。
【００１４】
また、セキュリティ解除用治具に備えられた複数の各接触子を、機器の壁に形成された複数の各パッド露出用開口部に挿入すると共に、セキュリティ解除用治具に備えられた突起を大開口部および小開口部が連なって開口して形成されたパッド露出用開口部の大開口部に挿入し、セキュリティ解除用治具を回動させることで、各接触子が複数の各パッドに電気的に接触し、セキュリティ解除用治具に設けられた突起が、大開口部および小開口部が連なって開口して形成されたパッド露出用開口部の小開口部に嵌合する。この際、弾性体によって複数の各接触子が複数の各パッドに押し付けられることで、複数の各接触子と複数の各パッドとの電気的接触、および、突起と小開口部との嵌合状態が保持される。
【００１５】
従って、セキュリティ解除用治具から手を離しても、セキュリティ解除用治具に備えられた複数の各接触子は、複数の各パッド露出用開口部に挿入されて、複数の各パッドと電気的に接触した状態を維持する。このため、セキュリティ解除用治具から手を離しても、セキュリティ設定回路によるセキュリティが解除された状態が保持されるので、機器の調整や設定等の所定の操作を容易に行うことができる。また、セキュリティ解除用治具を回動させることで、各接触子が複数の各パッドに電気的に接触してセキュリティ設定回路によるセキュリティが解除されるので、セキュリティ解除用治具の回動角度を確認することで、セキュリティ設定回路によるセキュリティが解除されているか否かを容易に視認することができる。
【００１６】
また、本発明は、
複数のパッドが近接して回路基板上に形成され、
壁には、大開口部および小開口部が連なって開口した治具係止用開口部が形成され、
接触子が、セキュリティ解除用治具に単体で設けられ、単一のパッド露出用開口部に挿入されて複数の各パッドに同時に電気的に接触することで、複数のパッド間の電位差に変化を与え、
セキュリティ解除用治具が、
大開口部に挿入されてセキュリティ解除用治具が回動されると小開口部に嵌合する突起と、
接触子を複数のパッドに押し付ける弾性体とを備える
ことを特徴とする。
【００１７】
本構成によれば、セキュリティ解除用治具に単体で備えられた接触子を、機器の壁に形成された単一のパッド露出用開口部に挿入し、複数の各パッドに同時に電気的に接触させることで、複数のパッド間の電位差に変化が与えられて、セキュリティ設定回路によるセキュリティが解除される。
【００１８】
また、セキュリティ解除用治具に単体で備えられた接触子を機器の壁に形成された単一のパッド露出用開口部に挿入し、セキュリティ解除用治具に備えられた突起を機器の壁に形成された治具係止用開口部の大開口部に挿入して、セキュリティ解除用治具を回動させることで、突起が治具係止用開口部の小開口部に嵌合する。この際、弾性体によって接触子が複数の各パッドに押し付けられることで、接触子と複数の各パッドとの電気的接触、および、突起と小開口部との嵌合状態が保持される。
【００１９】
従って、セキュリティ解除用治具から手を離しても、セキュリティ解除用治具に単体で備えられた接触子は、単一のパッド露出用開口部に挿入されて、複数の各パッドと同時に電気的に接触した状態を維持する。このため、セキュリティ解除用治具から手を離しても、セキュリティ設定回路によるセキュリティが解除された状態が保持されるので、機器の調整や設定等の所定の操作を容易に行うことができる。
【００２０】
また、本発明は、
セキュリティ解除用治具が、一対の接触子からなる接触子対だけ、または、単体の接触子からなる単一接触子だけ、または、接触子対および単一接触子を備え、
複数のパッドが、離間して回路基板上に形成された第１パッド対と、近接して回路基板上に形成された第２パッド対とから構成され、
パッド露出用開口部が、接触子対を構成する各接触子が挿入される一対のパッド露出用第１開口部と、単一接触子が挿入される単一のパッド露出用第２開口部とから構成され、少なくとも１つのパッド露出用第１開口部が、大開口部および小開口部が連なって開口して形成され、
接触子対を構成する各接触子が、各パッド露出用第１開口部に挿入されてセキュリティ解除用治具が回動され、第１パッド対を構成する各パッドに電気的に接触することで、第１パッド対を構成する各パッド間の電位差に変化を与え、
単一接触子が、パッド露出用第２開口部に挿入されて第２パッド対を構成する各パッドに同時に電気的に接触することで、第２パッド対を構成する各パッド間の電位差に変化を与え、
セキュリティ解除用治具が、
大開口部に挿入されてセキュリティ解除用治具が回動されると小開口部に嵌合する突起と、
接触子対を構成する各接触子を第１パッド対を構成する各パッドに押し付ける、または、単一接触子を第２パッド対を構成する各パッドに押し付ける弾性体とを備える
ことを特徴とする。
【００２１】
本構成によれば、接触子対だけを備えるセキュリティ解除用治具の各接触子を、機器の壁に形成された一対の各パッド露出用第１開口部にそれぞれ挿入して、第１パッド対を構成する各パッドに電気的に接触させると、第１パッド対を構成する各パッド間の電位差に変化が与えられて、第１パッド対に対応してセキュリティ設定回路により設定されたセキュリティが解除される。また、単一接触子だけを備えるセキュリティ解除用治具の単一接触子を、機器の壁に形成された単一のパッド露出用第２開口部に挿入して、第２パッド対を構成する各パッドに同時に電気的に接触させると、第２パッド対を構成する各パッド間の電位差に変化が与えられて、第２パッド対に対応してセキュリティ設定回路により設定されたセキュリティが解除される。また、接触子対および単一接触子を備えるセキュリティ解除用治具の各接触子を、機器の壁に形成された一対の各パッド露出用第１開口部および単一のパッド露出用第２開口部にそれぞれ挿入して、接触子対を構成する各接触子を第１パッド対を構成する各パッドに電気的に接触させ、単一接触子を第２パッド対を構成する各パッドに同時に電気的に接触させると、第１パッド対および第２パッド対を構成する各パッド間の電位差にそれぞれ変化が与えられて、第１パッド対および第２パッド対に対応してセキュリティ設定回路により設定されたセキュリティが解除される。このため、本構成によれば、３種類のセキュリティに対応できる機器のセキュリティ機構が提供される。
【００２２】
また、セキュリティ解除用治具に備えられた接触子対を、機器の壁に形成された一対のパッド露出用第１開口部に挿入すると共に、セキュリティ解除用治具に備えられた突起を、大開口部および小開口部が連なって開口して形成されたパッド露出用第１開口部の大開口部に挿入し、セキュリティ解除用治具を回動させることで、接触子対を構成する各接触子が第１パッド対の複数の各パッドに電気的に接触し、セキュリティ解除用治具に備えられた突起が、大開口部および小開口部が連なって開口して形成されたパッド露出用第１開口部の小開口部に嵌合する。この際、弾性体により、接触子対を構成する一対の各接触子が第１パッド対の各パッドに押し付けられることで、接触子対の各接触子と各パッドとの電気的接触、および、突起と小開口部との嵌合状態が保持される。
【００２３】
また、セキュリティ解除用治具に備えられた単一接触子を、機器の壁に形成された単一のパッド露出用第２開口部に挿入することで、単一接触子が第２パッド対の複数の各パッドに同時に電気的に接触する。また、セキュリティ解除用治具に備えられた突起を、大開口部および小開口部が連なって開口して形成されたパッド露出用第１開口部の大開口部に挿入し、セキュリティ解除用治具を回動させることで、セキュリティ解除用治具に備えられた突起が、大開口部および小開口部が連なって開口して形成されたパッド露出用第１開口部の小開口部に嵌合する。この際、弾性体により、単一接触子が第２パッド対の各パッドに同時に押し付けられることで、単一接触子の接触子と各パッドとの電気的接触、および、突起と小開口部との嵌合状態が保持される。
【００２４】
また、セキュリティ解除用治具に備えられた接触子対および単一接触子を、機器の壁に形成された一対のパッド露出用第１開口部および単一のパッド露出用第２開口部にそれぞれ挿入することで、単一接触子が第２パッド対の複数の各パッドに同時に電気的に接触する。また、セキュリティ解除用治具に備えられた突起を、大開口部および小開口部が連なって開口して形成されたパッド露出用第１開口部の大開口部に挿入し、セキュリティ解除用治具を回動させることで、接触子対を構成する各接触子が第１パッド対の複数の各パッドに電気的に接触し、セキュリティ解除用治具に備えられた突起が、大開口部および小開口部が連なって開口して形成されたパッド露出用第１開口部の小開口部に嵌合する。この際、弾性体により、接触子対を構成する一対の各接触子が第１パッド対の各パッドに押し付けられると共に、単一接触子が第２パッド対の各パッドに同時に押し付けられることで、接触子対および単一接触子の各接触子と各パッドとの電気的接触、および、突起と小開口部との嵌合状態が保持される。
【００２５】
従って、セキュリティ解除用治具から手を離しても、セキュリティ解除用治具に備えられた接触子対を構成する各接触子または単一接触子またはこれらの双方は、パッド露出用第１開口部またはパッド露出用第２開口部またはこれらの双方に挿入されて、第１パッド対の各パッドまたは第２パッド対の各パッドまたはこれらの双方と電気的に接触した状態を維持する。このため、セキュリティ解除用治具から手を離しても、セキュリティ設定回路によるセキュリティが解除された状態が保持されるので、機器の調整や設定等の所定の操作を容易に行うことができる。また、セキュリティ解除用治具を回動させることで、接触子対を構成する各接触子が第１パッド対の複数の各パッドに電気的に接触してセキュリティ回路によるセキュリティが解除されるので、接触子対を備えるセキュリティ解除用治具の回動角度を確認することで、セキュリティ回路によるセキュリティが解除されているか否かを容易に視認することができる。
【００２６】
また、本発明は、セキュリティ解除用治具が、複数の接触子間に光源を備えることを特徴とする。
【００２７】
本構成によれば、セキュリティ解除用治具に備えられた複数の各接触子を複数の各パッドに電気的に接触させることで、複数のパッド間の電位差に変化が与えられてセキュリティ設定回路によるセキュリティが解除されると共に、複数の接触子間に備えられた光源に電圧が印加されて光源が発光する。このため、セキュリティ設定回路によるセキュリティが解除されていることが、光源の発光によって報知され、明確化される。
【発明の効果】
【００２８】
本発明によれば、機器の製品コストを低減することができ、また、不用意にセキュリティ解除操作が行われるおそれも無く、しかも、切り替えたセキュリティ解除スイッチを元の位置に戻し忘れるといったことの無い機器のセキュリティ機構を提供することができる。
【図面の簡単な説明】
【００２９】
【図１】従来の機器のセキュリティ機構の一例を説明するための電子式電力量計の一部平面図である。
【図２】本発明の一実施の形態による機器のセキュリティ機構を有する電子式電力量計の分解斜視図である。
【図３】図２に示す電子式電力量計が有するセキュリティ機構を説明するための電子式電力量計の一部平面図である。
【図４】本発明の一実施の形態による機器のセキュリティ機構を構成する第１のセキュリティ解除用治具を示す図である。
【図５】本発明の一実施の形態による機器のセキュリティ機構を構成する第２のセキュリティ解除用治具を示す図である。
【図６】本発明の一実施の形態による機器のセキュリティ機構を構成する第３のセキュリティ解除用治具を示す図である。
【発明を実施するための形態】
【００３０】
次に、本発明による機器のセキュリティ機構を電子式電力量計のセキュリティ機構に適用した、本発明を実施するための形態について説明する。
【００３１】
図２は、本発明の一実施の形態によるセキュリティ機構を備えた電子式電力量計１１の分解斜視図図である。
【００３２】
電子式電力量計１１は、ベース計器組立体１２にカバー組立体１３が被され、カバー組立体１３に銘板３および銘板カバー４が取り付けられて構成される。ベース計器組立体１２には、電力量を演算する計量回路が形成された回路基板７が設けられている。電子式電力量計１１に内蔵されるこの回路基板７には、計量回路によって演算された電力量を表示する液晶表示ユニット８が取り付けられている。また、回路基板７上には、第１パッド対１４を構成する一対のパッド１４ａ，１４ｂと、第２パッド対１５を構成する一対のパッド１５ａ，１５ｂとの複数のパッドが、銅箔等によって基板表面に露出して形成されている。第１パッド対１４を構成する一対のパッド１４ａ，１４ｂは、回路基板７上において所定距離だけ離間して形成されている。第２パッド対１５を構成する一対の各パッド１５ａ，１５ｂは、図３（ａ）の電子式電力量計１１の一部平面図に示すように、回路基板７上において近接して櫛歯状に形成されている。
【００３３】
回路基板７には、セキュリティ設定回路が電子回路によって形成されている。このセキュリティ設定回路は、一対のパッド１４ａ，１４ｂまたは一対のパッド１５ａ，１５ｂの複数のパッド間の電位差に変化が検出されると、電子式電力量計１１に対する所定の操作の禁止を解除する。ここで、所定の操作とは、本実施形態では、電子式電力量計１１の製造時には、計量誤差のバラつき補正による計器調整作業等であり、電子式電力量計１１の販売後には、顧客先における時間帯設定やそれに伴う液晶表示ユニット８の表示設定等である。
【００３４】
カバー組立体１３の上壁１３ａには、一対のパッド露出用第１開口部１６ａ，１６ｂおよび単一のパッド露出用第２開口部１７が形成されている。一対のパッド露出用第１開口部１６ａ，１６ｂは、第１パッド対１４を構成する一対のパッド１４ａ，１４ｂを図３（ａ）に示すように臨ませる、一対のパッド１４ａ，１４ｂに対向する位置に形成されている。また、単一のパッド露出用第２開口部１７は、第２パッド対１５を構成する一対のパッド１５ａ，１５ｂを臨ませる、一対のパッド１５ａ，１５ｂに対向する位置に形成されている。パッド露出用第１開口部１６ａは大開口部１６ａ１および小開口部１６ａ２が連なって開口して形成され、パッド露出用第１開口部１６ｂは大開口部１６ｂ１および小開口部１６ｂ２が連なって開口して形成されている。電子式電力量計１１の計量検定実施後には、図３（ａ）に示すように、カバー組立体１３の左肩部が封印ネジ６によってベース計器組立体１２に係止されて、封印される。その後、図２に示す銘板３および銘板カバー４がカバー組立体１３に取り付けられる。
【００３５】
図３（ｂ）は、銘板３および銘板カバー４をカバー組立体１３から取り外して、セキュリティ解除用治具１８をカバー組立体１３に取り付けた状態における電子式電力量計１１の一部平面図である。セキュリティ解除用治具１８は、電子式電力量計１１と別体に構成され、セキュリティ設定回路による所定の操作の禁止を解除する際にだけ、図２に示すように、カバー組立体１３上に位置させられ、上壁１３ａに取り付けられる。このセキュリティ解除用治具１８は、一対のパッド１４ａ，１４ｂまたは一対のパッド１５ａ，１５ｂの複数のパッドに電気的に接触して、複数のパッド間の電位差に変化を与え、セキュリティ設定回路により設定されていた電子式電力量計１１に対する所定の操作の禁止を解除させる。
【００３６】
上壁１３ａに形成された一対のパッド露出用第１開口部１６ａ，１６ｂおよび単一のパッド露出用第２開口部１７と、回路基板７上に形成された一対のパッド１４ａ，１４ｂおよび１５ａ，１５ｂと、回路基板７に形成されたセキュリティ設定回路と、電子式電力量計１１と別体に構成されるセキュリティ解除用治具１８とは、電子式電力量計１１のセキュリティ機構を構成する。
【００３７】
セキュリティ解除用治具１８は、本実施形態では、図４に示すセキュリティ解除用治具１８ａ、図５に示すセキュリティ解除用治具１８ｂ、および図６に示すセキュリティ解除用治具１８ｃの３種類が用意されている。図４，図５および図６において、各分図（ａ）はキュリティ解除用治具１８ａ，１８ｂおよび１８ｃの外観斜視図、各分図（ｂ）はキュリティ解除用治具１８ａ，１８ｂおよび１８ｃの分解斜視図である。なお、これら各図において同一部分には同一符号を付して説明する。
【００３８】
各セキュリティ解除用治具１８ａ，１８ｂおよび１８ｃは、上ケース１９と下ケース２０との間に各部品を内蔵して、下ケース２０の底面に開口する一対の穴２０ａに一対のタッピングネジ２１が下方から挿入され、上ケース１９と下ケース２０とが締結されて構成されている。上ケース１９と下ケース２０との間には、ＬＥＤ（発光ダイオード）２２が光源として実装された基板２３、一対のバネ２４，２４、および内部カバー２５が、各セキュリティ解除用治具１８ａ，１８ｂおよび１８ｃに共通して、内蔵されている。ＬＥＤ２２の一対の各端子は、基板２３に形成された図示しない配線パターンを介して各バネ２４，２４に電気的に接触している。各バネ２４，２４は、導電性を有する金属等から形成され、内部カバー２５の上面に半筒状に形成された一対の収納部２５ａ，２５ａに挿入される。また、下ケース２０の対向する外側部には、下ケース２０の底面より下方に突出する一対の突起２０ｂ，２０ｂが略直方体状に形成されている。各突起２０ｂ，２０ｂは、パッド露出用第１開口部１６ａ，１６ｂの各大開口部１６ａ１，１６ｂ１に挿入されて、セキュリティ解除用治具１８ａ，１８ｂおよび１８ｃが図３（ｂ）に示すように時計方向に４５度回動されると、小開口部１６ａ２，１６ｂ２にそれぞれ嵌合する。
【００３９】
図４に示すセキュリティ解除用治具１８ａは、内部カバー２５の下方に、導電性を有する金属からなる一対のコンタクト２６，２６を備える。各コンタクト２６，２６は、下ケース２０に開口した一対の穴２０ｃ，２０ｃに挿入され、基板２２および内部カバー２５が上ケース１９と下ケース２０との間に挟持されることで、各頭部が各バネ２４，２４によって押されて、各下端部が下ケース２０の下方に突出する。一対の各穴２０ｃ，２０ｃは、周囲が、下ケース２０と一体に形成された円筒部２０ｄ，２０ｄに囲まれており、各コンタクト２６，２６の下端部はこれら各円筒部２０ｄ，２０ｄから突出する。各突起２０ｂ，２０ｂがパッド露出用第１開口部１６ａ，１６ｂの各大開口部１６ａ１，１６ｂ１に挿入され、セキュリティ解除用治具１８ａが時計方向に４５度回動されて各突起２０ｂ，２０ｂが小開口部１６ａ２，１６ｂ２に嵌合すると、各コンタクト２６，２６は、弾性体を構成する各バネ２４，２４によって第１パッド対を構成する各パッド１４ａ，１４ｂに押し付けられる。
【００４０】
各コンタクト２６，２６は、接触子を構成し、各パッド露出用第１開口部１６ａ，１６ｂに挿入されて、セキュリティ解除用治具１８ａが時計方向に４５度回動されると、第１パッド対を構成する各パッド１４ａ，１４ｂに電気的に接触して、各パッド１４ａ，１４ｂ間をＬＥＤ２２を介して短絡し、各パッド１４ａ，１４ｂ間の電位差に変化を与える。一対のコンタクト２６，２６は接触子対を構成する。
【００４１】
また、図５に示すセキュリティ解除用治具１８ｂは、内部カバー２５の下方に、導電性を有するゴムからなるラバーコンタクト２７を単体で備える。このラバーコンタクト２７は、下端部が下ケース２０の中央に開口した単一の穴２０ｅに挿入されて、頭部が内部カバー２５の底面に当接する。基板２３および内部カバー２５が上ケース１９と下ケース２０との間に挟持されることで、ラバーコンタクト２７の頭部が内部カバー２５を介して各バネ２４，２４によって押されて、ラバーコンタクト２７の下端部は下ケース２０の下方に突出する。各突起２０ｂ，２０ｂがパッド露出用第１開口部１６ａ，１６ｂの各大開口部１６ａ１，１６ｂ１に挿入され、セキュリティ解除用治具１８ａが時計方向に４５度回動されて各突起２０ｂが小開口部１６ａ２，１６ｂ２に嵌合すると、ラバーコンタクト２７は、弾性体を構成する各バネ２４，２４によって第２パッド対を構成する各パッド１５ａ，１５ｂに同時に押し付けられる。
【００４２】
ラバーコンタクト２７は、単一のパッド露出用第２開口部１７に挿入されて第２パッド対を構成する各パッド１５ａ，１５ｂに同時に電気的に接触して、第２パッド対を構成する各パッド１５ａ，１５ｂ間を短絡することで、各パッド１５ａ，１５ｂ間の電位差に変化を与える接触子を構成する。ラバーコンタクト２７は単一接触子を構成する。各パッド露出用第１開口部１６ａ，１６ｂは、大開口部１６ａ１，１６ｂ１および小開口部１６ａ２，１６ｂ２が連なって上壁１３ａに開口した治具係止用開口部を構成する。
【００４３】
図６に示すセキュリティ解除用治具１８ｃは、内部カバー２５の下方に、上述の一対のコンタクト２６，２６、および上述の単体のラバーコンタクト２７を備える。基板２３および内部カバー２５が上ケース１９と下ケース２０との間に挟持されることで、各コンタクト２６，２６の頭部が各バネ２４，２４によって押されて、各コンタクト２６，２６の下端部が下ケース２０の下方に突出すると共に、ラバーコンタクト２７の頭部が内部カバー２５を介して各バネ２４，２４によって押されて、ラバーコンタクト２７の下端部が下ケース２０の下方に突出する。
【００４４】
本実施形態の電子式電力量計１１のセキュリティ機構においては、図４に示すセキュリティ解除用治具１８ａが用いられる場合には、接触子が、一対のコンタクト２６，２６からなる接触子対だけから構成される。また、図５に示すセキュリティ解除用治具１８ｂが用いられる場合には、接触子が、単体で設けられたラバーコンタクト２７からなる単一接触子だけから構成される。また、図６に示すセキュリティ解除用治具１８ｃが用いられる場合には、接触子が、一対のコンタクト２６，２６からなる接触子対およびラバーコンタクト２７からなる単一接触子から構成される。
【００４５】
このような本実施形態の電子式電力量計１１のセキュリティ機構によれば、電子式電力量計１１と別体に構成されるセキュリティ解除用治具１８ａまたは１８ｂまたは１８ｃの一対のコンタクト２６，２６またはラバーコンタクト２７を、複数のパッド１４ａ，１４ｂまたは１５ａ，１５ｂに電気的に接触して、複数のパッド１４ａ，１４ｂまたは１５ａ，１５ｂ間の電位差に変化を与えることで、セキュリティ設定回路により設定されていた電子式電力量計１１に対する所定の操作の禁止が解除される。このため、セキュリティ解除用治具１８ａ，１８ｂおよび１８ｃは各電子式電力量計１１毎に用意する必要は無く、各電子式電力量計１１に共通に用いて、セキュリティ設定回路によるセキュリティを解除することができる。よって、従来の電子式電力量計１のセキュリティ機構のように、各電子式電力量計１毎にＤＩＰスイッチ２を設ける必要がなくなり、電子式電力量計１１の製品コストを低減することができる。また、本実施形態による電子式電力量計１１の銘板カバー４を開けても、従来の電子式電力量計１におけるＤＩＰスイッチ２のようなセキュリティ解除スイッチが現れず、回路基板７に形成された複数のパッド１４ａ，１４ｂおよび１５ａ，１５ｂが現れるだけなので、従来のように、ＤＩＰスイッチ２が目視されることで不用意に操作されるおそれも無くなる。また、セキュリティ解除用治具１８ａ，１８ｂおよび１８ｃは、電子式電力量計１１のセキュリティを解除する際にだけ用いられので、従来のように、電子式電力量計１の調整や設定等の所定の操作を終えた後、切り替えたＤＩＰスイッチ２を元の位置に戻し忘れるといったことは無くなる。
【００４６】
また、本実施形態の電子式電力量計１１のセキュリティ機構によれば、セキュリティ解除用治具１８ａに備えられた一対のコンタクト２６，２６を、カバー組立体１３の上壁１３ａに形成された一対のパッド露出用第１開口部１６ａ，１６ｂに挿入すると共に、セキュリティ解除用治具１８ａに備えられた突起２０ｂ，２０ｂを、パッド露出用第１開口部１６ａ，１６ｂの大開口部１６ａ１，１６ｂ１に挿入し、セキュリティ解除用治具１８ａを回動させることで、各コンタクト２６，２６が第１パッド対の各パッド１４ａ，１４ｂに電気的に接触し、セキュリティ解除用治具１８ａに備えられた突起２０ｂ，２０ｂが、パッド露出用第１開口部１６ａ、１６ｂの小開口部１６ａ２，１６ｂ２に嵌合する。この際、バネ２４，２４により、一対の各コンタクト２６，２６が第１パッド対の各パッド１４ａ，１４ｂに押し付けられることで、各コンタクト２６，２６と各パッド１４ａ，１４ｂとの電気的接触、および、突起２０ｂ，２０ｂと小開口部１６ａ２，１６ｂ２との嵌合状態が保持される。
【００４７】
また、セキュリティ解除用治具１８ｂに備えられたラバーコンタクト２７を、カバー組立体１３の上壁１３ａに形成された単一のパッド露出用第２開口部１７に挿入することで、ラバーコンタクト２７が第２パッド対の各パッド１５ａ，１５ｂに同時に電気的に接触する。また、セキュリティ解除用治具１８ｂに備えられた突起２０ｂ，２０ｂを、パッド露出用第１開口部１６ａ，１６ｂの大開口部１６ａ１，１６ｂ１に挿入し、セキュリティ解除用治具１８ｂを回動させることで、セキュリティ解除用治具１８ｂに備えられた突起２０ｂ，２０ｂが、パッド露出用第１開口部１６ａ，１６ｂの小開口部１６ａ２，１６ｂ２に嵌合する。この際、バネ２４，２４により、ラバーコンタクト２７が第２パッド対の各パッド１５ａ，１５ｂに同時に押し付けられることで、ラバーコンタクト２７と各パッド１５ａ，１５ｂとの電気的接触、および、突起２０ｂ，２０ｂと小開口部１６ａ２，１６ｂ２との嵌合状態が保持される。
【００４８】
また、セキュリティ解除用治具１８ｃに備えられた一対のコンタクト２６，２６およびラバーコンタクト２７を、カバー組立体１３の上壁１３ａに形成された一対のパッド露出用第１開口部１６ａ、１６ｂおよび単一のパッド露出用第２開口部１７にそれぞれ挿入することで、ラバーコンタクト２７が第２パッド対の各パッド１５ａ，１５ｂに同時に電気的に接触する。また、セキュリティ解除用治具１８ｃに備えられた突起２０ｂ，２０ｂを、パッド露出用第１開口部１６ａ、１６ｂの大開口部１６ａ１，１６ｂ１に挿入し、セキュリティ解除用治具１８ｃを回動させることで、各コンタクト２６，２６が第１パッド対の各パッド１４ａ，１４ｂに電気的に接触し、セキュリティ解除用治具１８ｃに備えられた突起２０ｂ，２０ｂが、パッド露出用第１開口部１６ａ、１６ｂの小開口部１６ａ２，１６ｂ２に嵌合する。この際、バネ２４，２４により、一対の各コンタクト２６，２６が第１パッド対の各パッド１４ａ，１４ｂに押し付けられると共に、ラバーコンタクト２７が第２パッド対の各パッド１５ａ，１５ｂに同時に押し付けられることで、コンタクト２６，２６およびラバーコンタクト２７と各パッド１４ａ，１４ｂおよび１５ａ，１５ｂとの電気的接触、並びに、突起２０ｂ，２０ｂと小開口部１６ａ２，１６ｂ２の嵌合状態が保持される。
【００４９】
従って、セキュリティ解除用治具１８ａまたは１８ｂまたは１８ｃから手を離しても、セキュリティ解除用治具１８ａまたは１８ｂまたは１８ｃに備えられたコンタクト２６，２６またはラバーコンタクト２７またはこれらの双方は、パッド露出用第１開口部１６ａ，１６ｂまたはパッド露出用第２開口部１７またはこれらの双方に挿入されて、各パッド１４ａ，１４ｂまたは１５ａ，１５ｂまたはこれらの双方と電気的に接触した状態を維持する。このため、セキュリティ解除用治具１８ａまたは１８ｂまたは１８ｃから手を離しても、セキュリティ設定回路によるセキュリティが解除された状態が保持されるので、電子式電力量計１１の調整や設定等の所定の操作を容易に行うことができる。
【００５０】
また、一対のコンタクト２６，２６を備えるセキュリティ解除用治具１８ａまたは１８ｃを回動させることで、各コンタクト２６，２６が第１パッド対の各パッド１４ａ，１４ｂに電気的に接触してセキュリティ設定回路によるセキュリティが解除されるので、セキュリティ解除用治具１８ａまたは１８ｃの回動角度を確認することで、セキュリティ設定回路によるセキュリティが解除されているか否かを容易に視認することができる。
【００５１】
また、本実施形態による電子式電力量計１１のセキュリティ機構は、セキュリティ解除用治具１８ａおよび１８ｃが、一対のコンタクト２６，２６間にＬＥＤ２２を備える。従って、セキュリティ解除用治具１８ａおよび１８ｃに備えられた一対の各コンタクト２６，２６を一対の各パッド１４ａ，１４ｂに電気的に接触させることで、一対のパッド１４ａ，１４ｂ間の電位差に変化が与えられてセキュリティ設定回路によるセキュリティが解除されると共に、一対のコンタクト２６，２６間に備えられたＬＥＤ２２に電圧が印加されてＬＥＤ２２が発光する。このため、セキュリティ設定回路によるセキュリティが解除されていることが、ＬＥＤ２２の発光によって報知され、明確化される。
【００５２】
また、本実施形態の電子式電力量計１１のセキュリティ機構によれば、セキュリティ解除用治具１８ａの各コンタクト２６，２６を、カバー組立体１３の上壁１３ａに形成された一対の各パッド露出用第１開口部１６ａ，１６ｂにそれぞれ挿入して、第１パッド対を構成する回路基板７上の各パッド１４ａ，１４ｂに電気的に接触させると、第１パッド対を構成する各パッド１４ａ，１４ｂ間の電位差に変化が与えられて、第１パッド対に対応してセキュリティ設定回路により設定されたセキュリティが解除される。また、セキュリティ解除用治具１８ｂのラバーコンタクト２７を、カバー組立体１３の上壁１３ａに形成された単一のパッド露出用第２開口部１７に挿入して、第２パッド対を構成する各パッド１５ａ，１５ｂに同時に電気的に接触させると、第２パッド対を構成する各パッド１５ａ，１５ｂ間の電位差に変化が与えられて、第２パッド対に対応してセキュリティ設定回路により設定されたセキュリティが解除される。また、セキュリティ解除用治具１８ｃの各コンタクト２６，２６およびラバーコンタクト２７を、カバー組立体１３の上壁１３ａに形成された一対の各パッド露出用第１開口部１６ａ、１６ｂおよび単一のパッド露出用第２開口部１７にそれぞれ挿入して、接触子対を構成する各コンタクト２６，２６を第１パッド対を構成する各パッド１４ａ，１４ｂに電気的に接触させ、ラバーコンタクト２７を第２パッド対を構成する各パッド１５ａ，１５ｂに同時に電気的に接触させると、第１パッド対および第２パッド対を構成する各パッド１４ａ，１４ｂおよび１５ａ，１５ｂ間の電位差にそれぞれ変化が与えられて、第１パッド対および第２パッド対に対応してセキュリティ設定回路により設定されたセキュリティが解除される。
【００５３】
このため、本実施形態の電子式電力量計１１のセキュリティ機構によれば、図４に示すセキュリティ解除用治具１８ａのスイッチ機構、および図５に示すセキュリティ解除用治具１８ｂのスイッチ機構と、これらを組み合わせた図６に示すセキュリティ解除用治具１８ｃのスイッチ機構の３系統のスイッチ機構により、３種類のセキュリティに対応できる電子式電力量計１１のセキュリティ機構が提供される。例えば、図４に示すセキュリティ解除用治具１８ａによって解除されるセキュリティレベルが最も低く、図５に示すセキュリティ解除用治具１８ｂによって解除されるセキュリティレベルが中程度、図６に示すセキュリティ解除用治具１８ｃによって解除されるセキュリティレベルが最も高いように、３レベルにセキュリティを設定することができる。また、図４に示すセキュリティ解除用治具１８ａによって解除されるセキュリティは電子式電力量計１１の販売後の顧客先での設定変更操作に用い、図５に示すセキュリティ解除用治具１８ｂによって解除されるセキュリティは電子式電力量計１１の製造時の調整・設定操作に用い、図６に示すセキュリティ解除用治具１８ｃによって解除されるセキュリティは電子式電力量計１１の開発時のソフトウエアデバッグ作業に用いるなどと、することもできる。
【００５４】
なお、本実施形態による電子式電力量計１１のセキュリティ機構においては、セキュリティ解除用治具１８ａ，１８ｂおよび１８ｃが、大開口部１６ａ１，１６ｂ１および小開口部１６ａ２，１６ｂ２が図３（ａ）に示すように連なって開口したパッド露出用第１開口部１６ａ，１６ｂ、およびこれに挿入される突起２０ｂ，２０ｂをそれぞれ一対備えた場合について、説明した。しかし、セキュリティ解除用治具１８ａ，１８ｂおよび１８ｃは、少なくとも１つのパッド露出用第１開口部１６ａまたは１６ｂが、大開口部１６ａ１または１６ｂ１、および小開口部１６ａ２または１６ｂ２が連なって開口して形成され、それに挿入される突起２０ｂを少なくとも１つ備えていればよい。このような構成においても、セキュリティ解除用治具１８ａまたは１８ｂまたは１８ｃから手を離しても、セキュリティ解除用治具１８ａまたは１８ｂまたは１８ｃに備えられたコンタクト２６，２６またはラバーコンタクト２７は、パッド露出用第１開口部１６ａ，１６ｂまたはパッド露出用第２開口部１７に挿入されて、各パッド１４ａ，１４ｂまたは１５ａ，１５ｂと電気的に接触した状態を維持し、上記の実施形態と同様な作用効果が奏される。
【００５５】
また、本実施形態による電子式電力量計１１のセキュリティ機構においては、回路基板７上に、第１パッド対１４を構成する一対のパッド１４ａ，１４ｂと、第２パッド対１５を構成する一対のパッド１５ａ，１５ｂとが形成され、３種類のセキュリティ解除用治具１８ａまたは１８ｂまたは１８ｃが用意されている場合について、説明した。しかし、いずれか１種類または２種類のセキュリティ解除用治具１８ａまたは１８ｂまたは１８ｃを用意し、１種類または２種類のセキュリティにのみ対応するように構成してもよい。
【００５６】
また、回路基板７上に、第１パッド対１４を構成する一対のパッド１４ａ，１４ｂだけを離間して形成し、上壁１３ａに、一対のパッド露出用第１開口部１６ａ，１６ｂだけを形成し、図４に示すセキュリティ解除用治具１８ａだけを用意するように構成してもよい。本構成によれば、セキュリティ解除用治具１８ａに備えられた一対の各コンタクト２６，２６を、上壁１３ａに形成された一対の各パッド露出用第１開口部１６ａ，１６ｂに挿入し、一対の各パッド１４ａ，１４ｂに電気的に接触させることで、パッド１４ａ，１４ｂ間の電位差に変化が与えられて、セキュリティ設定回路による単一のセキュリティが解除される。
【００５７】
また、回路基板７上に、第２パッド対１４を構成する一対のパッド１５ａ，１５ｂだけを近接して形成し、上壁１３ａに、単一のパッド露出用第２開口部１７だけを形成し、図５に示すセキュリティ解除用治具１８ｂだけを用意するように構成してもよい。本構成によれば、セキュリティ解除用治具１８ｂに単体で備えられたラバーコンタクト２７を、上壁１３ａに形成された単一のパッド露出用第２開口部１７に挿入し、一対の各パッド１５ａ，１５ｂに同時に電気的に接触させることで、パッド１５ａ，１５ｂ間の電位差に変化が与えられて、セキュリティ設定回路による単一のセキュリティが解除される。
【００５８】
このような各構成の電子式電力量計１１のセキュリティ機構においても、上記の実施形態と同様な作用効果が奏される。
【００５９】
また、本実施形態による電子式電力量計１１のセキュリティ機構においては、セキュリティ解除用治具１８ａまたは１８ｂまたは１８ｃを用いて、セキュリティ回路によるセキュリティを解除する場合について、説明した。しかし、このような複雑な構成をしたセキュリティ解除用治具１８ａまたは１８ｂまたは１８ｃを用いず、金属片や導電ゴム等の簡易な導電部材片によっても、セキュリティ解除用治具を構成することができる。このような簡易な導電部材片でも、複数の各パッド１４ａ，１４ｂまたは１５ａ，１５ｂに同時に電気的に接触させて各パッド１４ａ，１４ｂまたは１５ａ，１５ｂ間を短絡させることで、パッド１４ａ，１４ｂまたは１５ａ，１５ｂ間の電位差に変化を与えて、セキュリティ回路によるセキュリティを解除することができる。このため、本構成によれば、入手しやすい部材によって簡単にセキュリティ解除用治具を用意することができる。
【００６０】
また、本実施形態による電子式電力量計１１のセキュリティ機構においては、パッド１４ａ，１４ｂおよび１５ａ，１５ｂ、並びにセキュリティ設定回路を同じ回路基板７上に形成した場合について、説明した。しかしパッド１４ａ，１４ｂおよび１５ａ，１５ｂ、並びにセキュリティ設定回路は、電子式電力量計１１に内蔵される異なる回路基板上にそれぞれ形成するようにしてもよい。
【産業上の利用可能性】
【００６１】
上記の実施形態では、本発明による機器のセキュリティ機構を電子式電力量計１１のセキュリティ機構に適用した場合について、説明した。しかし、セキュリティ解除用治具１８ａまたは１８ｂまたは１８ｃ等を共通治具として、ハードウエア上でのセキュリティが必要される様々な各種産業機器のセキュリティ機構に適用することができる。
【符号の説明】
【００６２】
３…銘板
４…銘板カバー
７…回路基板
８…液晶表示ユニット
１１…電子式電力量計
１２…ベース組立体
１３…カバー組立体
１３ａ…上壁
１４ａ，１４ｂ，１５ａ，１５ｂ…パッド
１６ａ，１６ｂ…パッド露出用第１開口部
１７…パッド露出用第２開口部
１８，１８ａ，１８ｂ，１８ｃ…セキュリティ解除用治具
１９…上ケース
２０…下ケース
２０ｂ…突起
２１…タッピングネジ
２２…ＬＥＤ（光源）
２３…基板
２４…バネ（弾性体）
２５…内部カバー
２６…コンタクト（接触子対）
２７…ラバーコンタクト（単一接触子）  
【図１】
2015059757.tif 000003
【図２】
2015059757.tif 000004
【図３】
2015059757.tif 000005
【図４】
2015059757.tif 000006
【図５】
2015059757.tif 000007
【図６】
2015059757.tif 000008